(57)【要約】【課題】従来よりも色の識別性を向上させ、特に色弱者に対し色の識別性を改善することができるキャリブレーション処理を実現する。【解決手段】画像処理装置において、印字された複数のカラーパッチから読み取られた画像データを測色する測色手段と、測色手段により測色した隣接するカラーパッチ間の色差を算出する色差算出手段と、色差算出手段が算出したあるカラーパッチ間の色差の値が所定の許容値を満たさない場合に、当該カラーパッチ間の色差の値が所定の許容値を満たすようにさせる色補正手段とを備える。【選択図】図５
2012029061.tif 000002
【特許請求の範囲】
【請求項１】
印字された複数のカラーパッチから読み取られた画像データを測色する測色手段と、
前記測色手段により測色した隣接するカラーパッチ間の色差を算出する色差算出手段と、
前記色差算出手段が算出したあるカラーパッチ間の色差の値が所定の許容値を満たさない場合に、当該カラーパッチ間の色差の値が所定の許容値を満たすようにさせる色補正手段と
を備えることを特徴とする画像処理装置。
【請求項２】
前記色補正手段は、前記色差算出手段が算出したあるカラーパッチ間の色差の値が所定の許容値を満たす場合には、色補正の変更をさせないことを特徴とする請求項１に記載の画像処理装置。
【請求項３】
出力階調をキャリブレーションするキャリブレーション手段を備え、
前記色補正手段は、算出したあるカラーパッチ間の色差の値が所定の許容値を満たさない場合に、前記キャリブレーション手段に、当該カラーパッチ間の色差の値が所定の許容値を満たすようにさせる補正用パラメータを生成し、
前記キャリブレーション手段は、前記補正用パラメータに従って色補正を行う
ことを特徴とする請求項１または請求項２に記載の画像処理装置。
【請求項４】
前記測色手段、色差算出手段および色補正手段は、前記キャリブレーション手段が、出力階調をキャリブレーションする際に前記各処理を実施することを特徴とする請求項３に記載の画像処理装置。
【請求項５】
前記画像処理装置は、画像形成装置であり、
前記測色手段は、当該画像形成装置により印字した複数のカラーパッチについて測色する
ことを特徴とする請求項１から請求項４のいずれか１項に記載の画像処理装置。
【請求項６】
前記所定の許容値は、色弱者用に対応させた許容値であることを特徴とする請求項１から請求項５のいずれか１項に記載の画像処理装置。
【請求項７】
画像処理装置において、
測色手段が、印字された複数のカラーパッチから読み取られた画像データを測色する測色工程と、
色差算出手段が、前記測色工程にて測色した隣接するカラーパッチ間の色差を算出する色差算出工程と、
色補正手段が、前記色差算出工程にて算出したあるカラーパッチ間の色差の値が所定の許容値を満たさない場合に、当該カラーパッチ間の色差の値が所定の許容値を満たすようにさせる色補正工程と
を含むことを特徴とする画像処理方法。
【請求項８】
コンピュータにより制御される画像処理装置を、
印字された複数のカラーパッチから読み取られた画像データを測色する測色手段と、
前記測色手段により測色した隣接するカラーパッチ間の色差を算出する色差算出手段と、
前記色差算出手段が算出したあるカラーパッチ間の色差の値が所定の許容値を満たさない場合に、当該カラーパッチ間の色差の値が所定の許容値を満たすようにさせる色補正手段として機能させる
ことを特徴とするプログラム。
【請求項９】
コンピュータにより制御される画像処理装置を、
印字された複数のカラーパッチから読み取られた画像データを測色する測色手段と、
前記測色手段により測色した隣接するカラーパッチ間の色差を算出する色差算出手段と、
前記色差算出手段が算出したあるカラーパッチ間の色差の値が所定の許容値を満たさない場合に、当該カラーパッチ間の色差の値が所定の許容値を満たすようにさせる色補正手段として機能させるプログラムを記録したコンピュータ読み取り可能な記録媒体。
【発明の詳細な説明】
【技術分野】
【０００１】
本発明は、色補正を伴う画像処理装置、画像処理方法およびそのプログラムならびにコンピュータ読み取り可能な記録媒体に関する。
【背景技術】
【０００２】
従来より、画像形成装置等の画像処理装置におけるキャリブレーションにおいて、色再現に関して設計時の許容範囲に合わせるように色補正用の画像パラメータを更新することが知られている。
【０００３】
例えば、特許文献１には、さらに高精度にキャリブレーションを行う目的で、スキャナ特性を利用して少ないパッチ数でキャリブレーションを行うことが開示されている。
【発明の概要】
【発明が解決しようとする課題】
【０００４】
しかしながら、特許文献１に開示の技術など、従来のキャリブレーション処理では、色の識別性に関してまで考慮されておらず、設計時の許容範囲に合わせるだけで色の識別性に劣るという問題があった。
【０００５】
本発明は、上記に鑑みてなされたものであって、従来よりも色の識別性を向上させ、特に色弱者に対し色の識別性を改善することができるキャリブレーション処理を実現することを目的とする。
【課題を解決するための手段】
【０００６】
上述した課題を解決し、目的を達成するために、本発明の画像処理装置は、印字された複数のカラーパッチから読み取られた画像データを測色する測色手段と、前記測色手段により測色した隣接するカラーパッチ間の色差を算出する色差算出手段と、前記色差算出手段が算出したあるカラーパッチ間の色差の値が所定の許容値を満たさない場合に、当該カラーパッチ間の色差の値が所定の許容値を満たすようにさせる色補正手段とを備えることを特徴とする。
【０００７】
また、本発明の画像処理方法は、画像処理装置において、測色手段が、印字された複数のカラーパッチから読み取られた画像データを測色する測色工程と、色差算出手段が、前記測色工程にて測色した隣接するカラーパッチ間の色差を算出する色差算出工程と、色補正手段が、前記色差算出工程にて算出したあるカラーパッチ間の色差の値が所定の許容値を満たさない場合に、当該カラーパッチ間の色差の値が所定の許容値を満たすようにさせる色補正工程とを含むことを特徴とする。
【０００８】
また、本発明は、コンピュータにより制御される画像処理装置を、印字された複数のカラーパッチから読み取られた画像データを測色する測色手段と、前記測色手段により測色した隣接するカラーパッチ間の色差を算出する色差算出手段と、前記色差算出手段が算出したあるカラーパッチ間の色差の値が所定の許容値を満たさない場合に、当該カラーパッチ間の色差の値が所定の許容値を満たすようにさせる色補正手段として機能させることを特徴とするプログラムである。
【０００９】
また、本発明は、コンピュータにより制御される画像処理装置を、印字された複数のカラーパッチから読み取られた画像データを測色する測色手段と、前記測色手段により測色した隣接するカラーパッチ間の色差を算出する色差算出手段と、前記色差算出手段が算出したあるカラーパッチ間の色差の値が所定の許容値を満たさない場合に、当該カラーパッチ間の色差の値が所定の許容値を満たすようにさせる色補正手段として機能させるプログラムを記録したコンピュータ読み取り可能な記録媒体である。
【発明の効果】
【００１０】
本発明によれば、再現される色の識別性を向上させ、特に色弱者に対し色の識別性を改善することができるという効果を奏する。
【図面の簡単な説明】
【００１１】
【図１】図１は、本実施形態に係る、画像処理装置としての画像形成装置の機能構成を示す図である。
【図２】図２は、キャリブレーションモジュールの機能構成の一例を示す図である。
【図３】図３は、同一の階調におけるキャリブレーションの前と後とのドットの位置を示す図である。
【図４】図４は、色の識別性と色補正の関係について説明する図である。
【図５】図５は、色処理モジュールの動作概要を説明する図である。
【図６】図６は、色処理モジュールの機能構成の一例を示す図である。
【図７】図７は、本実施形態で使用するカラーチャートの概念図である。
【図８】図８は、ＣＵＤ色補正パラメータ生成器とその入出力を示す図である。
【図９】図９は、色処理モジュールによるパッチ１に対する処理の具体例を示す図である。
【図１０】図１０は、通常の色補正と色弱者用の色補正を行った場合の色の見え方を例示する図である。
【図１１】図１１は、本発明に係る画像処理装置をコンピュータ等により実現する場合の概略構成を説明する図である。
【発明を実施するための形態】
【００１２】
以下に添付図面を参照して、この発明にかかる画像処理装置としての画像形成装置の実施の形態を詳細に説明する。
【００１３】
図１は、本実施形態に係る、画像処理装置としての画像形成装置の機能構成を示す図である。図１に示す画像形成装置は、制御部１００（詳細は後述）、操作部１３０、ＦＡＸ制御ユニット１４０、プロッタ１５０、スキャナ１６０およびその他ハードウェアリソース１７０を備える。
【００１４】
操作部１３０は、ユーザによる各種操作入力を受け付けたり表示をするＵＩとなるオペレーションパネルである。ファクス制御ユニット１４０は、画像形成装置が非図示の外部装置との間でファクス送受信に係る各種動作を行う際の制御を行う。プロッタ１５０は、データを可視出力する装置である。プロッタ１５０の代わりにプリンタを用いることもできる。スキャナ１６０は、原稿用紙を電子データとして読み取る装置である。
【００１５】
制御部１００は、プリンタモジュール１０１、コピーモジュール１０２、スキャナモジュール１０３、ＦＡＸモジュール１０４、ＳＤＫモジュール１０５、認証モジュール１０６、画像蓄積モジュール１０７、画像配信モジュール１０８、その他モジュール１０９、キャリブレーションモジュール１１０、及び色処理モジュール１２０を有する。
【００１６】
プリンタモジュール１０１は、印刷機能に係る画像処理及び制御を行う。コピーモジュール１０２は、コピー機能に係る画像処理及び制御を行う。スキャナモジュール１０３は、スキャン機能に係る画像処理及び制御を行う。ＦＡＸモジュール１０４は、ファクシミリ機能に係る画像処理及び制御を行う。ＳＤＫモジュール１０５は、専用のＳＤＫアプリケーション（ＳＤＫを使用して開発されたアプリケーケーション）の処理及び制御を行う。
【００１７】
認証モジュール１０６は、ユーザの認証に係る処理を行う。画像蓄積モジュール１０７は、図示しないハードディスク装置等に画像データを格納させ、又は、読み出す処理を行う。画像配信モジュール１０８は、図示しないスキャナで読み取られた画像データ等を、ネットワークを介して接続された他の画像処理装置又は記憶装置に対して出力する処理を行う。
【００１８】
キャリブレーションモジュール１１０は、中間調処理に対するキャリブレーションを行う。これにより、出力される画像の階調表現を好適にすることができる。その他モジュール１０９は、上記のモジュールの機能に含まれない機能を実現するモジュールである。
【００１９】
色処理モジュール１２０は、キャリブレーションモジュール１１０によるキャリブレーション時に、媒体に印字された色の識別性に応じて色弱者対応の色補正を行うためのＣＵＤ（Ｃｏｌｏｒ  Ｕｎｉｖｅｒｓａｌ  Ｄｅｓｉｇｎ）色補正パラメータを生成しキャリブレーションモジュール１１０に供給する。キャリブレーションモジュール１１０は、このＣＵＤ色補正パラメータに従って出力される画像の階調表現を補正する。
【００２０】
ここで、キャリブレーションモジュール１１０の機能構成の例を、図２を用いて説明する。図２は、キャリブレーションモジュール１１０の機能構成の一例を示す図である。
【００２１】
キャリブレーションモジュール１１０は、エンジン部２００等からの情報を取得し、図示しない画像処理手段に対して、キャリブレーションされた階調表現を出力する。
【００２２】
エンジン部２００は、読取部２０１、及び、印刷部２０２を有する。読取部２０１は、媒体上に形成された画像を光学的に読み取るスキャナ、又は、搬送ベルトに転写された画像を検出するセンサ等である。印刷部２０２は、搬送ベルトにより搬送される媒体上に画像を形成して出力する。
【００２３】
キャリブレーションモジュール１１０は、粒状度取得部１１１、特性情報取得部１１２、パラメータ補正部１１３、濃度補正部１１４、及び、温度判断部１１５を有する。
【００２４】
粒状度取得部１１１は、キャリブレーションのために出力されたＣＭＹＫ各色の階調チャートを読み取って得られる粒状度を取得する。なお、ここで使用する階調チャートは、媒体に印刷されて出力されたものでもよく、また搬送ベルト等に転写されたものでもよい。
【００２５】
特性情報取得部１１２は、エンジン部２００が有する印刷部２０２の特性情報を取得する。特性情報とは、例えば、印刷部２０２がドットを印字する際のドット位置の情報、ドットの大きさの情報等である。
【００２６】
特性情報取得部１１２は、エンジン部２００やネットワークを介して接続されるサーバ等が有する記憶装置、又は、画像形成装置が有する記憶装置等から、印刷部２０２の特性情報を取得する。
【００２７】
パラメータ補正部１１３は、粒状度取得部１１１が取得した粒状度に基づいて所定のパラメータを変更し、既に設定されている階調表現の補正、すなわち階調毎の粒状度の補正を行う。これにより媒体に印刷される画像の色味、濃度が補正される。パラメータ補正部１１３が階調表現の補正を行う際には、特性情報取得部１１２が取得した、印刷部２０２の特性情報が用いられる。
【００２８】
図３は、同一の階調におけるキャリブレーションの前と後とのドットの位置を示す図である。図３では、６点の小ドットが含まれる階調を例に示す。図３のｄ１は、この階調を表現するために設計されたドットの位置を示す図である。ｄ２は、設計されたｄ１の位置にドットを印字した場合の例を示す。印刷部２０２がドットを印字できない位置にドットが配置された階調表現がある場合には、ｄ２に示すように、ドットの欠落や欠けが生じる。
【００２９】
図３のｄ３は、キャリブレーションにより、印刷部２０２の特性に合わせて、ドット位置を変更した例を示す。ｄ３の例は、ｄ１の例と同数のドットを含み、ドットの位置が異なる。ｄ３で示すドット位置は、印刷部２０２によりドットを印字することができる。これにより、６個のドットによる階調を表現することができる。
【００３０】
なお、ｄ３で示すドット位置に変更させるためには、ディザ手法の場合は、ディザマトリクスを変更する。また、誤差拡散法の場合は、誤差拡散の閾値を変更する。本実施の形態では、ディザマトリクス及び誤差拡散の閾値等を、「中間調パラメータ」という。パラメータ補正部１１３が行う処理により、エンジン特性にあった中間調パラメータへ変更することができる。
【００３１】
パラメータ補正部１１３は、また、一旦変更した中間調パラメータにより出力された階調チャートから得られた粒状度に基づいて、再度、中間調パラメータを設定してもよい。これにより、階調毎の粒状度をより好適にすることができる。また、本実施形態では、色の識別性に応じた中間調パラメータの修正も行う。この修正は、ＣＵＤ用の色補正を行う場合には、色処理モジュール１２０のＣＵＤ色補正パラメータ生成器（後述）により必要に応じて生成されたＣＵＤ用の色補正パラメータに従って行われる。通常は、予め定められた色補正パラメータが用いられる。
【００３２】
濃度補正部１１４は、パラメータ補正部１１３が補正した階調表現に対し、濃度補正を行う。より詳細には、新たに生成された階調表現による階調チャートを再び出力し、これを読み取って得られる濃度と、濃度の理想値とを比較することにより、γテーブルを補正する。なお、濃度は、パラメータ補正部１１３の処理により、ほぼ良好な濃度となっていることが多い。そこで、得られた濃度と濃度の理想値との差が所定の値以上の場合に、γテーブルの補正を行う。
【００３３】
温度判断部１１５は、印刷部２０２の温度情報に基づいて、中間調パラメータの補正を行うか否かを判断する。画像形成装置のエンジン部２００の温度が高い場合には、ドットの付着に影響が大きい定着状態が良好である。そこで、温度判断部１１５は、印刷部２０２の温度が所定の値より小さい場合には、中間調パラメータの補正を行うと判断する。
【００３４】
ところで、キャリブレーションは、上記のようにキャリブレーションモジュール１１０によって実施される。従来のキャリブレーションではターゲットとする色味に合わせることが前提のため、識別性が低い色となる場合があった。例えば、図４に示す例では、色ＡとＢは、キャリブレーション時点ではターゲットの許容範囲内にあるため、中間調パラメータは修正されないが、色味が近いため識別性に劣る。一方、色ＣとＤは、従来のキャリブレーションではターゲットから外れているため（許容範囲外にあるため）、従来のキャリブレーションでは、色Ａ、Ｂと同じ許容範囲内へと色補正されてしまう。
【００３５】
本実施形態では色の識別性を考慮した色弱者対応の色補正を行いＣＵＤとするための色処理モジュール１２０を設けている。キャリブレーションモジュール１１０によるキャリブレーション時に、この色処理モジュール１２０に備わるＣＵＤ色補正パラメータ生成器により生成される色補正パラメータをキャリブレーションモジュール１１０に供給し、中間調パラメータに対し必要な変更を行えるようにしている。
【００３６】
色処理モジュール１２０は、キャリブレーション時に、前述のエンジン部２００等からの情報を取得し、キャリブレーションモジュール１１０に対して、必要に応じてＣＵＤ色補正パラメータまたは所定の制御信号を出力する。その動作概要は、図５に示すようになる。なお、各カラーパッチ（以下、パッチと称す）での色の識別性判断に色弱者用の許容値（以下、ＣＵＤ許容値と称す）を設定し、一般者用の場合とわけている。本実施形態では、特に特徴的な色弱者用に色補正を行う場合について説明する。また、赤色、緑色、青色に対する色弱者用として、それぞれに対するＣＵＤ許容値を用いて、各色弱者用に処理を行うようにしてもよい。
【００３７】
はじめに、所定のカラーチャートの各パッチの色差の値が、ＣＵＤ許容値より小さいか判断する（ステップＳ５０１）。
【００３８】
各パッチの色差の値が、ＣＵＤ許容値より小さい場合（ステップＳ５０１でＹｅｓ）、色弱者にとって見やすい色味となっていないことから、色弱者用の色補正を実施する。すなわち、その色補正をするための、該当パッチに対するＣＵＤ色補正パラメータをキャリブレーションモジュール１１０に出力することによりキャリブレーションモジュール１１０で使用する色補正パラメータを変更させる（ステップＳ５０２）。具体的には、各パッチの色差の値に基づき、色弱者用の色補正をするためのＣＵＤ色補正パラメータを新たに生成して出力する。
【００３９】
一方、各パッチの色差の値が、ＣＵＤ許容値以上の場合（ステップＳ５０１でＮｏ）、キャリブレーションモジュール１１０に対しキャリブレーション時の色補正パラメータの変更を行わせないようにする（ステップＳ５０３）。このとき、色処理モジュール１２０は、そのための制御信号（例えば、予め定められたパラメータ）をキャリブレーションモジュール１１０に送る。この場合には、出力画像は、元の（カラーパッチ出力時の）色補正とキャリブレーションによる色味となる。
【００４０】
また、色処理モジュール１２０の動作に関して、色弱者対応の色補正を行う際の設定モードを設けることができる。この設定モードの例としては、例えば、以下のモードを挙げることができる。
【００４１】
（１）厳格モード：すべてのパッチ間において色差の値がＣＵＤ許容値以上にならければ、エラーを出力し処理を中止する。
【００４２】
（２）限定モード：各パッチ間の色差の優先度（重み付け）を指定し、背景色などとの兼ね合いで事前に設定された色が色弱者でも識別できる範囲内であれば、色補正を実施しないこととする。
【００４３】
（３）選択モード：ＣＵＤ色補正を対象とするパッチをユーザが選択し、その他は一般者用の識別性の許容値を使用して調整する。
【００４４】
以上のような設定モードに応じて、色処理モジュール１２０の動作を切り替えるようにしてもよい。なお、各モードは、操作部１３０を用いた所定操作により切り替えることができる。
【００４５】
以上のようにして、色弱者の見易さに適したキャリブレーションを実施できる。なお、ＣＵＤ色補正パラメータを生成する処理は、ネットワーク上のサーバで行い、処理結果のみを受け取るという方法を採用してもよい。
【００４６】
ここで、色処理モジュール１２０の機能構成の例を、図６を用いて説明する。図６は、色処理モジュール１２０の機能構成の一例を示す図である。
【００４７】
色処理モジュール１２０は、測色部１２１、色差算出部１２２、ＣＵＤ許容判定部１２３およびＣＵＤ色補正パラメータ生成器１２４を有する。
【００４８】
測色部１２１は、印刷部２０２が印刷し読取部２０１が読みとったチャートを測色し、そのＬａｂ値を取得する。本実施形態では、図７に示す１０色のパッチからなるカラーチャートを用いる。
【００４９】
色差算出部１２２は、図７に示したカラーチャートの上から順に、測色部１２１が測色した各パッチ間の色差を計算する。ここでは、以下に示す一般者用色差評価式（１）を用いる。
【００５０】
【数１】
2012029061.tif 000003
【００５１】
また、赤色または緑色に対する色弱者用として、以下に示す赤緑色弱者用評価式（２）を用いる。
【００５２】
【数２】
2012029061.tif 000004
【００５３】
ただし、ΔＬ＊、Δｂ＊、Δａ＊はそれぞれ、２色間のＬ＊成分の差、ｂ＊成分の差、ａ＊成分の差である。なお、赤色に対する色弱者用と緑色に対する色弱者用とで異なる評価式を用いてもよい。また、ここでは例示しないが、青色に対する色弱者用に、青色に対する色弱者用の評価式を用いることができる。
【００５４】
ＣＵＤ許容判定部１２３は、色差算出部１２２が算出した色差の値が、色弱者対応として許容できるか否か判定する。具体的には、色差算出部１２２が算出した色差の値とこれに対する所定のＣＵＤ許容値とを比較し、ＣＵＤ許容値に対して色差算出部１２２が算出した色差の値が小さければＣＵＤ用に色補正パラメータの変更が必要であると判定する。そして、対応するパッチの色を補正するために、ＣＵＤ色補正パラメータ生成器１２４へ修正フラグ（修正要）を通知する。一方、色差算出部１２２が算出した色差の値がＣＵＤ許容値以上であれば、色補正パラメータの変更をさせないため、修正フラグ（修正不要）を通知する。
【００５５】
ＣＵＤ色補正パラメータ生成器１２４は、ＣＵＤ許容判定部１２３から修正フラグ（修正要）の通知を受けると、色差算出部１２２から、色補正が必要なパッチに対応するパッチ間の色差の値を取得し、この色差の値に基づくＣＵＤ色補正パラメータを生成し出力する（図８参照）。一方、修正フラグ（修正不要）の通知を受けると、キャリブレーションモジュール１１０に色補正パラメータを変更させないための予め定められたパラメータなど所定の制御信号を出力する。
【００５６】
ここで、色処理モジュール１２０による処理の具体例を、図９を用いて説明する。図９は、色処理モジュール１２０によるパッチ１に対する処理の具体例を示す図である。
【００５７】
はじめに、測色部１２１が、カラーチャートのパッチ１とパッチ２のＬａｂ値を測色する（ステップＳ９０１）。
【００５８】
次に、色差算出部１２２が、赤緑色弱者用評価式に従い、パッチ１とパッチ２間の色差を算出する（ステップＳ９０２）。
【００５９】
次に、ＣＵＤ許容判定部１２３が、パッチ１とパッチ２間の色差の値とＣＵＤ許容値とを比較し、パッチ１とパッチ２間の色差の値がＣＵＤ許容値より小さいか判定する（ステップＳ９０３）。そして、パッチ１とパッチ２の色差の値がＣＵＤ許容値より小さければ（ステップＳ９０３でＹｅｓ）、ＣＵＤ色補正パラメータ生成器１２４へ修正フラグ（修正要）を通知する（ステップＳ９０４）。
【００６０】
ＣＵＤ色補正パラメータ生成器１２４は、修正フラグの通知に応じ、色差算出部１２２からパッチ１とパッチ２間の色差の値を取得し、その値に基づきパッチ１の色を補正するためのＣＵＤ色補正パラメータを生成し出力する（ステップＳ９０５）。
【００６１】
一方、パッチ１とパッチ２の色差の値がＣＵＤ許容値以上であれば（ステップＳ９０３でＮｏ）、ＣＵＤ色補正パラメータ生成器１２４へ修正フラグ（修正不要）を通知する（ステップＳ９０６）。
【００６２】
ＣＵＤ色補正パラメータ生成器１２４は、修正フラグ（修正不要）の通知に応じ、キャリブレーションモジュール１１０に色補正パラメータを変更させないための所定のパラメータなどの所定の制御信号を出力する（ステップＳ９０７）。
【００６３】
以上の一連の処理は、他のパッチについても同様に行われる。
【００６４】
上述した色弱者用の色補正により、図１０に例示する赤色と緑色の見え方は、通常の色補正を行った場合と、（赤緑）色弱者用の色補正を行ったものとでは、色弱者用の色補正を行ったものの方が赤緑色弱者にとって識別しやすいものとなる。
【００６５】
以上説明したように、本実施形態では、キャリブレーションの処理時にパッチを測色した情報から、各パッチの色同士の識別性を判断し、その識別性に応じた色補正を行えるようにしたことで、色弱者用に画像の識別性を向上させたＣＵＤを実現することができる。また、ＣＵＤ用の色補正パラメータを固定値としてもった場合（または固定の許容範囲をもつ場合）に比べ、本実施形態では、エンジン部の経時変化に沿ったＣＵＤ色補正処理がされず色弱者が見やすい出力を安定して提供できる。また、通常のキャリブレーション処理は、ＣＭＹＫ４色の階調を調整するものであるが、本実施形態によればＣＵＤ色補正が対象とする色のみを対象とした補正を反映させることができる。また、従来は識別性を考慮しないため、識別性を考慮した場合には変更（補正）が必要でない色となる場合でも色補正対象となることがあり、そのための処理時間がかかる点についても改善される。
【００６６】
（コンピュータ等による実現）
図１１は、本発明に係る画像処理装置をコンピュータ等により実現する場合の概略構成を説明する図である。図１１のコンピュータは、主処理部４００、入力装置４１０、表示装置４２０、スキャナ４３０、プロッタ４４０、ＮＩＣ４６０、ドライブ装置４８０、ハードディスク装置（以下、「ＨＤＤ」という。）４９０、入力Ｉ／Ｆ４１９、表示Ｉ／Ｆ４２９、スキャナＩ／Ｆ４３９、プロッタＩ／Ｆ４４９、ドライブＩ／Ｆ４８９、及び、ＨＤＤＩ／Ｆ４９９を有する。
【００６７】
主処理部４００は、コンピュータプログラムを実行して各機能を実現する。主処理部４００は、例えば、ＣＰＵ４０１、ＲＯＭ４０８、及び、ＲＡＭ４０９を有する。ＣＰＵ４０１は、コンピュータプログラムを実行することにより、コンピュータが有する各デバイス等の制御を行う。ＲＯＭ４０８は、例えば、コンピュータプログラムやパラメータ等が格納され、ＣＰＵ４０１にそれらが供せられる。ＲＡＭ４０９は、例えば、ＣＰＵ４０１がコンピュータプログラムを実行する際のワークメモリとして供せられる。
【００６８】
入力装置４１０は、例えば、キーボードやマウス等の入力デバイスとして構成され、コンピュータに対する指示等が入力される。表示装置４２０は、コンピュータの状態等が表示される。スキャナ４３０は、画像を光学的に読み取って、画像データを生成する。プロッタ４４０は、媒体上に画像を形成して出力する。
【００６９】
ＮＩＣ４６０は、コンピュータと外部とをネットワークを介して接続する際のインタフェースの機能を実現し、その制御を行う。ドライブ装置４８０は、記録媒体が挿入され、その記録媒体に記録された情報を読み出し、またその記録媒体に情報を記録する。ＨＤＤ４９０は、大容量のデータを格納する記憶手段である。
【００７０】
入力Ｉ／Ｆ４１９、表示Ｉ／Ｆ４２９、スキャナＩ／Ｆ４３９、プロッタＩ／Ｆ４４９、ドライブＩ／Ｆ４８９、及び、ＨＤＤ  Ｉ／Ｆ４９９は、それぞれ、入力装置４１０、表示装置４２０、スキャナ４３０、プロッタ４４０、ドライブ装置４８０、及び、ＨＤＤ４９０がバスを介して主処理部４００と接続される際のインタフェースである。
【００７１】
以上、発明を実施するための実施の形態について説明を行ったが、本発明は、上述した実施の形態に限定されるものではない。本発明の主旨をそこなわない範囲で変更することが可能である。
【００７２】
（その他の実施形態）
本実施形態の画像形成装置に備わる色処理モジュール１２０の測色手段としての機能、色差算出手段としての機能および色補正手段としての機能（ＣＵＤ許容判定部１２３およびＣＵＤ色補正パラメータ生成器１２４）を実現させるプログラムは、ＲＯＭ、ＨＤＤ等の不揮発性記憶媒体に予め組み込まれて提供される。または、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【００７３】
または、上記プログラムを、インターネット等のネットワークに接続されたコンピュータ上に格納し、ネットワーク経由でダウンロードさせることにより提供または配布するように構成しても良い。
【符号の説明】
【００７４】
１０１  プリンタモジュール
１０２  コピーモジュール
１０３  スキャナモジュール
１０４  ＦＡＸモジュール
１０５  ＳＤＫモジュール
１０６  認証モジュール
１０７  画像蓄積モジュール
１０８  画像配信モジュール
１０９  その他モジュール
１１０  キャリブレーションモジュール
１１１  粒状度取得部
１１２  特性情報取得部
１１３  パラメータ補正部
１１４  濃度補正部
１１５  温度判断部
１２０  色処理モジュール
１２１  測色部
１２２  色差算出部
１２３  ＣＵＤ許容判定部
１２４  ＣＵＤ色補正パラメータ生成器
１３０  操作部
１４０  ＦＡＸ制御ユニット
１５０  プロッタ
１６０  スキャナ
１７０  その他ハードウェアリソース
２００  エンジン部
２０１  読取部
２０２  印刷部
４００  主処理部
４１０  入力装置
４１９  入力Ｉ／Ｆ
４２０  表示装置
４２９  表示Ｉ／Ｆ
４３０  スキャナ
４３９  スキャナＩ／Ｆ
４４０  プロッタ
４４９  プロッタＩ／Ｆ
４８０  ドライブ装置
４８９  ドライブＩ／Ｆ
４９０  ハードディスク装置
【先行技術文献】
【特許文献】
【００７５】
【特許文献１】特開平７−１７７３６４号公報
【図１】
2012029061.tif 000005
【図２】
2012029061.tif 000006
【図３】
2012029061.tif 000007
【図４】
2012029061.tif 000008
【図５】
2012029061.tif 000009
【図６】
2012029061.tif 000010
【図７】
2012029061.tif 000011
【図８】
2012029061.tif 000012
【図９】
2012029061.tif 000013
【図１０】
2012029061.tif 000014
【図１１】
2012029061.tif 000015